(57)【特許請求の範囲】
【請求項１】
撮像手段で撮像された撮像画像のうち、縦横の比率が異なる焦点検出領域の合焦状態を示す情報を取得する取得手段と、
表示手段に、前記撮像画像に重畳して、前記焦点検出領域を示す第１の表示要素と、前記取得手段で取得した前記焦点検出領域の合焦状態を示す情報に対応する第２の表示要素とを表示するように制御する制御手段と、
表示制御装置の姿勢を検出する姿勢検出手段と、を有し、
前記制御手段は、
前記第２の表示要素を、前記第１の表示要素が示す前記焦点検出領域の外であって、前記焦点検出領域に対応する位置に表示するように制御し、
前記姿勢検出手段で前記表示制御装置の姿勢が第１の姿勢から当該第１の姿勢と９０度異なる第２の姿勢に変化したことを検出した場合に、前記第１の表示要素を回転させることなく、前記第２の表示要素を回転させて表示位置を変更して表示するように制御する、ことを特徴とする表示制御装置。
【請求項２】
前記焦点検出領域は、ユーザの操作により撮像画像内の任意の位置に設定可能であることを特徴とする請求項１に記載の表示制御装置。
【請求項３】
前記取得手段は、前記焦点検出領域の合焦状態を示す情報として、前記焦点検出領域の合焦度合いに関する情報を取得し、
前記制御手段は、前記焦点検出領域の合焦度合いを示す第２の表示要素を表示するように制御することを特徴とする請求項１または２に記載の表示制御装置。
【請求項４】
前記取得手段は、前記焦点検出領域の合焦状態を示す情報として、合焦、前ピン、後ピンのいずれかであることを示す情報を取得し、
前記制御手段は、合焦、前ピン、後ピンのいずれかであることを示す第２の表示要素を表示するように制御することを特徴とする請求項１から３のいずれか１項に記載の表示制御装置。
【請求項５】
前記制御手段は、前ピンの場合と後ピンの場合とで異なる形状の表示要素を表示するように制御することを特徴とする請求項４に記載の表示制御装置。
【請求項６】
前記焦点検出領域の合焦状態を示す情報はデフォーカス量であることを特徴とする請求項１から５のいずれか１項に記載の表示制御装置。
【請求項７】
前記第１の表示要素は、前記焦点検出領域に対応する位置に表示され、
前記第２の表示要素は、前記第１の表示要素の表示位置に対応する位置に表示されることを特徴とする請求項１から６のいずれか１項に記載の表示制御装置。
【請求項８】
静止画の記録動作を行う静止画記録手段と、
前記記録動作の前に、オートフォーカス制御または露出制御を含む記録準備動作を行う記録準備手段と、をさらに有し、
前記制御手段は、前記記録準備動作または前記記録動作が行われている場合は、前記第２の表示要素を回転して表示しないように制御し、前記記録準備動作および前記記録動作が行われていない場合は、前記第２の表示要素を回転して表示するように制御することを特徴とする請求項１から７のいずれか１項に記載の表示制御装置。
【請求項９】
動画の記録動作を行う動画記録手段をさらに有し、
前記制御手段は、前記動画の記録動作が行われている場合は、前記第２の表示要素を回転して表示しないように制御し、前記動画の記録動作が行われていない場合は、前記第２の表示要素を回転して表示するように制御することを特徴とする請求項１から７のいずれか１項に記載の表示制御装置。
【請求項１０】
オートフォーカス制御を行うオートフォーカス制御手段をさらに有し、
前記制御手段は、前記オートフォーカス制御手段によるオートフォーカス制御が停止された場合には、前記第２の表示要素を回転して表示しないように制御し、前記オートフォーカス制御の停止が解除された場合には、前記第２の表示要素を回転して表示するように制御することを特徴とする請求項１から７のいずれか１項に記載の表示制御装置。
【請求項１１】
前記撮像画像から被写体領域を検出する被写体検出手段と、
前記被写体検出手段により検出された被写体領域のうちのいずれかを前記焦点検出領域として決定する決定手段と、
ユーザによるマニュアルでのフォーカス操作を受け付ける操作手段と、をさらに有し、
前記制御手段は、前記被写体検出手段による被写体領域の検出を行っているときに前記操作手段によりマニュアルでのフォーカス操作が行われた場合は、前記第１の表示要素を前記焦点検出領域の位置に表示することを特徴とする請求項１から７のいずれか１項に記載の表示制御装置。
【請求項１２】
前記表示手段へのタッチ操作を検出するタッチ検出手段をさらに有し、
前記制御手段は、前記タッチ検出手段によりタッチ操作を検出するごとに前記第２の表示要素を回転して表示するか否かを判定することを特徴とする請求項１から１１のいずれか１項に記載の表示制御装置。
【請求項１３】
前記第２の表示要素を回転して表示するか否かを設定する設定手段をさらに有することを特徴とする請求項１から１２のいずれか１項に記載の表示制御装置。
【請求項１４】
前記第１の表示要素は前記撮像画像に重畳して前記焦点検出領域に表示される枠であることを特徴とする請求項１から１３のいずれか１項に記載の表示制御装置。
【請求項１５】
前記第１の表示要素は前記決定手段により決定された前記被写体領域に表示される枠であり、
前記制御手段は、前記被写体検出手段による被写体領域の検出を行っている場合は、前記枠の形状を変更することを特徴とする請求項１１に記載の表示制御装置。
【請求項１６】
前記第２の表示要素は、前記第１の表示要素が表示された前記焦点検出領域の合焦状態を示す複数の指標を含み、
前記複数の指標は、少なくとも、互いの表示位置の関係によって前記焦点検出領域の合焦度合いを示す第１の指標および第２の指標と、合焦位置を示す第３の指標を有し、前記第１の指標および前記第２の指標が一体化して前記第３の指標が示す位置となることによって、前記第１の表示要素が表示された被写体に合焦していることを表すことを特徴とする請求項１から１５のいずれか１項に記載の表示制御装置。
【請求項１７】
前記制御手段は、前記第１の指標と前記第２の指標との表示距離を前記焦点検出領域の合焦度合いに応じて変更し、合焦位置からのズレが大きい場合に比べて小さい場合の方が前記表示距離が小さくなるように制御することを特徴とする請求項１６に記載の表示制御装置。
【請求項１８】
前記第２の表示要素は、合焦させる方向へフォーカス操作を行うための操作方向を示す表示要素を含むことを特徴とする請求項１６または１７に記載の表示制御装置。
【請求項１９】
前記表示制御装置は、画像を撮像する撮像装置であることを特徴とする請求項１から１８のいずれか１項に記載の表示制御装置。
【請求項２０】
撮像手段で撮像された撮像画像のうち、縦横の比率が異なる焦点検出領域の合焦状態を示す情報を取得するステップと、
表示手段に、前記撮像画像に重畳して、前記焦点検出領域を示す第１の表示要素と、前記取得した焦点検出領域の合焦状態を示す情報に対応する第２の表示要素とを表示するように制御するステップと、を有し、
前記制御するステップでは、
前記第２の表示要素を、前記第１の表示要素が示す前記焦点検出領域の外であって、前記焦点検出領域に対応する位置に表示するように制御し、
姿勢検出手段で表示制御装置の姿勢が第１の姿勢から当該第１の姿勢と９０度異なる第２の姿勢に変化したことを検出した場合に、前記第１の表示要素を回転させることなく、前記第２の表示要素を回転させて表示位置を変更して表示するように制御する、ことを特徴とする表示制御装置の制御方法。
【請求項２１】
コンピュータを、請求項１から１９のいずれか１項に記載された表示制御装置の各手段として機能させるためのプログラム。
【請求項２２】
コンピュータを、請求項１から１９のいずれか１項に記載された表示制御装置の各手段として機能させるためのプログラムを格納したコンピュータが読み取り可能な記憶媒体。
【発明の詳細な説明】
【技術分野】
【０００１】
本発明は、ユーザがフォーカス合わせを行うためのフォーカスガイドの表示制御技術に関する。
【背景技術】
【０００２】
動画や静止画を撮影するデジタルカメラ等の表示制御装置において、ユーザがマニュアルでフォーカス合わせを行う際にフォーカス操作を容易に行えるようにするためのフォーカスガイド機能がある。例えば、所望の被写体に合焦させるためのフォーカス操作手段であるフォーカスリングの回転方向をフォーカス指標として表示する機能（特許文献１参照）や、被写体に対する合焦度合いの変化をフォーカス指標として表示する機能（特許文献２参照）がある。また、任意の焦点検出領域を設定してフォーカス枠を表示し、設定された焦点検出領域に含まれる被写体に対する距離情報を取得する機能がある。
【０００３】
近年では前述したフォーカス指標やフォーカス枠を合わせてフォーカスガイドとして表示する機能もあり、ユーザはマニュアルでのフォーカス合わせをより正確かつ直感的に行うことが可能となっている。
【先行技術文献】
【特許文献】
【０００４】
【特許文献１】特開平５−３０８５５２号公報
【特許文献２】特開２００５−１４０９４３号公報
【発明の概要】
【発明が解決しようとする課題】
【０００５】
上述したフォーカスガイドは、例えばカメラの姿勢が縦位置に変更された場合に、それに合わせて９０度回転させた方がユーザにとって分かりやすい表示となり得ると考えられる。しかしながら、フォーカスガイドのうち、フォーカス枠（焦点検出領域）を姿勢変化に合わせて回転させてしまうと、以下のような不都合が生じる可能性がある。すなわち、
カメラの姿勢が変化してもフォーカス枠は変わらないので、フォーカス枠の向きを変えて焦点検出領域の範囲も変えてしまうと、所望の被写体に焦点が合った画像が撮影できない場合がある。反対に、焦点検出領域は変えずに、フォーカス枠だけを回転させてしまうと、実際に焦点検出を行っている領域とは異なった領域を示していることになり、正しい表示とならない。これは、言い換えると、画像センサの画素構成上の制約などによって焦点検出領域の縦横の比率が異なる場合、焦点検出領域の方向とフォーカス枠の方向が合っていないということである。
【０００６】
本発明は、上記課題に鑑みてなされ、その目的は、装置の姿勢を変化させた場合であっても、合焦度合いを正しく表示し、かつ、フォーカス合わせを容易に行えるガイド表示を行うことができる表示制御技術を実現することである。
【課題を解決するための手段】
【０００７】
上記課題を解決し、目的を達成するために、本発明の表示制御装置は、撮像手段で撮像された撮像画像のうち、縦横の比率が異なる焦点検出領域の合焦状態を示す情報を取得する取得手段と、表示手段に、前記撮像画像に重畳して、前記焦点検出領域を示す第１の表示要素と、前記取得手段で取得した前記焦点検出領域の合焦状態を示す情報に対応する第２の表示要素とを表示するように制御する制御手段と、表示制御装置の姿勢を検出する姿勢検出手段と、を有し、前記制御手段は、前記第２の表示要素を、前記第１の表示要素が示す前記焦点検出領域の外であって、前記焦点検出領域に対応する位置に表示するように制御し、前記姿勢検出手段で前記表示制御装置の姿勢が第１の姿勢から当該第１の姿勢と９０度異なる第２の姿勢に変化したことを検出した場合に、前記第１の表示要素を回転させることなく、前記第２の表示要素を回転させて表示位置を変更して表示するように制御する。
【発明の効果】
【０００８】
本発明によれば、装置の姿勢を変化させた場合であっても、合焦度合いを正しく表示し、かつ、フォーカス合わせを容易に行えるガイド表示を行うことができる。
【図面の簡単な説明】
【０００９】
【図１】デジタルカメラ１０の構成ブロック図。
【図２】撮像素子１０２の受光面の説明図。
【図３】撮影モード処理のフローチャート。
【図４】フォーカスガイド表示処理のフローチャート。
【図５】フォーカスガイドの表示形態の決定処理のフローチャート。
【図６】フォーカス指標の回転の有効・無効判定処理のフローチャート。
【図７】フォーカスガイドの表示例。
【図８】顔検出機能ＯＦＦ時のフォーカスガイドの画面表示例。
【図９】顔検出機能ＯＮ時のフォーカスガイドの画面表示例。
【発明を実施するための形態】
【００１０】
＜ハードウェア構成＞
図１に、本発明の表示制御装置の一例としてのデジタルカメラ１０のハードウェア構成の一例を示す。
【００１１】
筺体１００は、デジタルカメラ１０の構成要素の多くを内包する外装であり、各種の操作部や表示部１０７、外部出力部１２１は筺体１００の表面に露出している。
【００１２】
交換レンズ１０１は、複数のレンズ群からなる撮影レンズであり、フォーカスレンズ、ズームレンズ、シフトレンズを内部に備えるほか、絞りを含む。
【００１３】
撮像素子１０２は、光電変換素子を有する画素が複数、二次元状に配列された構成を有する。撮像素子１０２は、交換レンズ１０１により結像された被写体光学像を各画素で光電変換し、さらにＡ／Ｄ変換回路によってアナログ・デジタル変換して、画素単位の画像信号（ＲＡＷ画像データ）を出力する。本実施形態に用いる撮像素子１０２と、関連する測距部１０８の詳細は、図２で後述する。
【００１４】
ＮＤフィルタ１０３はレンズに備えられた絞りとは別に入射光量を調整するためにデジタルカメラ１０に設けられたものである。
【００１５】
画像処理部１１８は、撮像素子１０２に起因するレベル差を補正する。例えば、ＯＢ（Ｏｐｔｉｃａｌ  Ｂｌａｃｋ）領域の画素を用いて、有効領域の画素のレベルを補正するほか、欠陥画素に対して周囲画素を用いた補正を行う。また、周辺光量落ちに対する補正、色補正、輪郭強調、ノイズ除去、ガンマ補正、ディベイヤー、圧縮などの各処理を行う。画像処理部１１８は、撮像素子１０２から入力されたＲＡＷ画像データに対して上記処理を行うと、その他の制御部へ補正した画像データを出力する。
【００１６】
また、画像処理部１１８は、画像データに水平及び垂直方向のバンドパスフィルタを作用させて画像データよりエッジ成分を検出する。本体マイコン１１９は、検出されたエッジ成分に関してパターンマッチングを行い、人物の顔等の被写体検出を行う。顔検出の場合は目及び鼻、口、耳の候補群を抽出し、抽出された候補群の中から、予め設定された条件（例えば２つの目の距離や傾き、色等）を満たすものを、有力候補として絞り込む。そして、本体マイコン１１９は、絞り込まれた候補群とそれに対応する他の情報（例えば目が候補の場合は、目以外の顔を形成する他のパーツ（鼻、口、耳）を対応付け、また、予め設定した条件フィルタを通すことで、顔を抽出する。ユーザは表示部１０７に表示されているライブビュー画像中の任意の顔にＡＦ枠（主顔枠）を指定することができる。
【００１７】
記録媒体Ｉ／Ｆ部１０４は、記録媒体１０５とデジタルカメラ１０とのインターフェースであり、記録媒体１０５に対して、画像処理部１１８から入力された画像データの記録や記録した画像データの読み出しを制御する。
【００１８】
記録媒体１０５は、撮影された映像あるいは画像データを記録するための半導体メモリ等で構成される記録媒体であり、記録媒体Ｉ／Ｆ部１０４による制御に応じて画像データの記録や記録された画像データの読み出しを実行する。記録媒体１０５は、着脱可能なメモリーカード等であるが、カメラに内蔵の記録媒体でもよい。
【００１９】
ＧＰＵ１１５は、デジタルカメラ１０の各種情報表示やメニュー画面をＶＲＡＭに描画するレンダリングエンジンである。文字列や図形の描画機能のほか、拡大縮小描画機能や、回転描画機能、レイヤ合成機能を備えている。描画したＶＲＡＭは透過度を表すアルファチャネルを備えており、表示用Ｉ／Ｆ部１０６によって撮像画像上や再生画像上にオンスクリーン表示することができる。
【００２０】
表示用Ｉ／Ｆ部１０６は、画像処理部１１８からの映像データ（撮像画像、再生画像）およびＧＰＵ１１５でＶＲＡＭに描画した表示対象に対して、重畳合成およびリサイズ処理を行い、表示部１０７へ出力する（表示する）。拡大表示モードに設定されている場合は、表示用Ｉ／Ｆ部１０６は映像データの部分領域に対して重畳合成およびリサイズ処理を行う。その結果、拡大表示モードでは、通常時よりも拡大された映像が表示部１０７に表示されるため、ユーザがマニュアルフォーカスでの焦点調節操作（フォーカス操作）をより正確に行いやすくなる。
【００２１】
表示部１０７は、表示用Ｉ／Ｆ部１０６から出力された画像データを画角確認用に表示する筺体１００の側から視認可能な外部モニタや、ファインダ内の表示部である。表示部１０７は、液晶ディスプレイや有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ）などで構成可能である。
【００２２】
本体マイコン１１９は、デジタルカメラ１０の全体の動作を制御する制御部であり、マイクロコンピュータなどで構成される。本体マイコン１１９は、ＣＰＵ１１９ａ、ＲＯＭ１１９ｂ、ＲＡＭ１１９ｃを備える。ＣＰＵ１１９ａは、ＲＯＭ１１９ｂに記憶されたプログラムを、ＲＡＭ１１９ｃに展開して実行することにより、後述の各種フローチャートの動作を実行する。
【００２３】
以下に説明するゲイン制御部１０９、シャッター制御部１１０、ＮＤ制御部１１１および絞り制御部１１２は、いずれも露出制御のための機能ブロックである。これらは、それぞれ画像処理部１１８の出力した画像データの輝度レベルを本体マイコン１１９で算出した結果に基づいて、あるいはユーザがマニュアル設定した動作パラメータに基づいて、本体マイコン１１９によって制御が行われる。
【００２４】
ゲイン制御部１０９は、撮像素子１０２のゲインを制御する。シャッター制御部１１０は、撮像素子１０２のシャッタースピードを制御する。ＮＤ制御部１１１は、ＮＤフィルタ１０３を介して撮像素子１０２に入射する光量を制御する。絞り制御部１１２は、交換レンズ１０１の絞りを制御する。
【００２５】
フォーカス制御部１１３は、本体マイコン１１９に保持されているフォーカス制御モードの設定がオートフォーカス（以下、ＡＦともいう）であるかマニュアルフォーカス（以下、ＭＦともいう）であるかによって異なる動作を行う。
【００２６】
ＡＦの場合は、画像処理部１１８から出力された画像データを参照して本体マイコン１１９でフォーカスの合焦情報を算出し、算出した合焦情報に基づいてフォーカス制御部１１３が交換レンズ１０１内のフォーカスレンズを制御する。あるいは、撮像面位相差検出方式によって測距部１０８から出力されたデフォーカス量に基づいてフォーカス制御部１１３が交換レンズ１０１のフォーカスレンズを制御する。
【００２７】
なお、画像データの部分領域にＡＦ枠を設定し、ＡＦ枠内の被写体のみに基づいてフォーカス情報を算出することもできる。ＡＦは、本体マイコン１１９で実行する処理によって、さらに２つの動作モードを備えている。１つはワンショットＡＦモードであり、ワンショットＡＦキー１２９が押下されたときだけＡＦ制御を行い、合焦成功または合焦失敗が確定した後はフォーカス制御部１１３のＡＦ制御を停止するモードである。もう１つはコンティニュアスＡＦモード（サーボＡＦ）であり、常にＡＦ制御を行うモードである。ただし、コンティニュアスＡＦモードであっても、ＡＦロックキー１３０の押下によってＡＦロック状態に設定されている場合は、フォーカス制御部１１３でのＡＦ制御を停止する。上述した２つのＡＦの切り替えはメニュー画面での設定変更操作により行う。
【００２８】
ＭＦの場合は、フォーカス制御部１１３はＡＦ制御を停止する。そして、ユーザが交換レンズ１０１に組み込まれたフォーカスリング１３４をマニュアルで回転させることによって、任意のフォーカス調節操作を行うことができる。
【００２９】
防振制御部１１４は、画像処理部１１８から出力された画像データを参照して本体マイコン１１９で被写体の動きベクトルを算出し、算出した動きベクトルに基づいて手ブレを相殺するように交換レンズ１０１内のシフトレンズを制御する光学式防振処理を行う。あるいは、防振制御部１１４は手ブレによる像ブレを相殺する方向に動画の各フレームで画像を切り出す電子式防振処理を行う。
【００３０】
メモリＩ／Ｆ（インターフェース）部１１６は、撮像素子１０２から出力された全画素分のＲＡＷ画像データをメモリ１１７に書き込み、また、メモリ１１７に保持されたＲＡＷ画像データを読み出して画像処理部１１８に出力する。
【００３１】
メモリ１１７は、数フレームの全画素分のＲＡＷ画像データを保持することが可能な容量を有する揮発性の記憶媒体である。
【００３２】
画像処理部１１８は、メモリＩ／Ｆ部１１６から送出された全画素分のＲＡＷ画像データについて、制御に必要な画像処理を行う。
【００３３】
外部出力Ｉ／Ｆ部１２０は、画像処理部１１８により生成された映像データにリサイズ処理を行う。また、外部出力部１２１の規格に適した信号変換および制御信号の付与を行い、外部出力部１２１へ出力する。
【００３４】
外部出力部１２１は、映像データを外部出力する端子であり、例えばＳＤＩ（Ｓｅｒｉａｌ  Ｄｉｇｉｔａｌ  Ｉｎｔｅｒｆａｃｅ）端子やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子である。外部出力部１２１は、外部機器であるモニターディスプレイや、外部記録装置が接続可能である。
【００３５】
外部操作用Ｉ／Ｆ部１２２は、外部操作部１２３による制御指示を受信し、本体マイコン１１９へ通知する機能モジュールであり、例えば、赤外線リモコン受光部や、無線ＬＡＮ（Ｌｏｃａｌ  Ａｒｅａ  Ｎｅｔｗｏｒｋ）インターフェースや、ＬＡＮＣ（登録商標）（Ｌｏｃａｌ  Ａｐｐｌｉｃａｔｉｏｎ  Ｃｏｎｔｒｏｌ  ｂｕｓ  ｓｙｓｔｅｍ）である。
【００３６】
外部操作部１２３は、外部操作用Ｉ／Ｆ部１２２に対して制御指示（制御コマンド）を送信する。筺体１００や交換レンズ１０１に組み込まれた操作部１２４〜１３５の各部の操作に相当する指示（コマンド）を送信することができるほか、表示部１０７で表示するメニュー画面における設定変更情報を送信することができる。
【００３７】
操作部１２４〜１３５は、キー（ボタン）やダイヤル、タクトスイッチ、リング等の操作部材である。また、操作部１２４〜１３５は、表示部１０７に対するタッチ検出が可能なタッチパネルを含む。いずれもユーザの操作を受け付け、本体マイコン１１９に対して制御指示を通知する役割を担っている。本体マイコン１１９は、タッチパネルに対するタッチ操作の有無を判定し、タッチ位置座標の算出を行う。メニューキー１２４〜ＤＩＳＰＬＡＹキー１３１は筺体１００に組み付けられている本体側の操作部である。フォーカスリング１３４とＡＦ／ＭＦスイッチ１３５は、交換レンズ１０１に組み付けられているレンズ側の操作部である。これらの操作部の一部は、メニュー画面での設定変更によって、キーの役割を交換したり、別の機能にアサインしたりすることも可能である。
【００３８】
メニューキー１２４は、表示部１０７にメニュー画面を表示する指示、あるいはすでに表示しているメニュー画面を閉じる指示を行う。
【００３９】
十字キー１２５およびダイヤル１２６は、どちらもメニュー画面で項目を選択するためのカーソルを移動したり、フォーカス枠の表示位置をユーザの望む方向へ移動したりする指示を行う。十字キー１２５は、上キー、下キー、左キー、右キーからなる方向キーであり、それぞれ別体の操作部材であってもよいし、同一の操作部材として構成して押下する位置に応じて上下左右のいずれかの指示が行えるように構成してもよい。ダイヤル１２６は、時計回りの操作と反時計回りの操作が行える回転式の操作部材である。
【００４０】
ＳＥＴキー１２７は、メニュー画面でカーソルの当たっている項目を選択したり、各種の設定操作を確定する指示を行う。
【００４１】
キャンセルキー１２８は、メニュー画面で深い階層の選択を行っているときに１つ前の階層へ戻ったり、各種の設定操作を破棄する指示を行う。
【００４２】
ワンショットＡＦキー１２９は、ＡＦモードがワンショットＡＦである場合に、フォーカス制御部１１３によってＡＦ動作を実行する指示を行う。
【００４３】
ＡＦロックキー１３０は、ＡＦモードがコンティニュアスＡＦである場合に、フォーカス制御部１１３によるＡＦ制御を停止させる停止指示、停止状態を解除する解除指示を行う。
【００４４】
動画レリーズキー１３２は、記録媒体Ｉ／Ｆ部１０４による動画記録の開始と停止の指示を行う。
【００４５】
静止画レリーズキー１３３は、半押し状態と全押し状態の２段階押下式キーである。本体マイコン１１９は、静止画レリーズキー１３３が半押しされると静止画の記録準備動作としてＡＦ制御や露出制御などを行い、全押しされると露光処理、現像処理、および記録媒体Ｉ／Ｆ部１０４による記録処理の一連の処理動作を行う。
【００４６】
ＤＩＳＰＬＡＹキー１３１は、本体マイコン１１９に保持されているＤｉｓｐレベルの設定を変更する指示を行う。ユーザはＤｉｓｐレベルを選択することによって、表示部１０７に表示される各種情報を制限したり、より詳細な情報を表示したり、映像をよりクリアに表示することができる。
【００４７】
フォーカスリング１３４は、フォーカス制御モードの設定がＭＦモードである場合に、ユーザがマニュアルで交換レンズ１０１内のフォーカスレンズを移動して焦点調節操作を行うことができる。
【００４８】
ＡＦ／ＭＦスイッチ１３５は、フォーカス制御モードをＡＦとＭＦの間で相互に切り替える指示を行う。
【００４９】
姿勢検出部１３６は、重力方向に対するデジタルカメラ１０の姿勢情報（回転角度および回転方向）を検出する加速度センサやジャイロセンサ等である。本体マイコン１１９は、姿勢検出部１３６で検出された姿勢情報に基づいて、デジタルカメラ１０が正位置（姿勢情報が＋０度、横位置）、＋９０度（右に９０度回転、縦位置）、−９０度（左に９０度回転、縦位置）、＋１８０度または−１８０°（右または左に１８０度回転、横位置）なのかを判別可能である。
【００５０】
＜撮像面位相差検出＞
図２は、画像センサとしての撮像素子１０２の受光面の一部を示している。
【００５１】
撮像素子１０２は、撮像面位相差ＡＦを可能にするために、１つのマイクロレンズに対して光電変換手段として受光部であるフォトダイオードを２つ保持している画素部がアレイ状に並べられている。これにより、各画素部で、交換レンズ１０１の射出瞳を分割した光束を受光することが可能になっている。
【００５２】
図２（Ａ）は、参考として、赤（Ｒ）、青（Ｂ）、緑（Ｇｂ、Ｇｒ）のベイヤー配列の場合の画像センサ表面の一部の模式図である。図２（Ｂ）は、図２（Ａ）のカラーフィルターの配列に対応させて、１つのマイクロレンズに対して光電変換手段としてのフォトダイオードを２つ保持している画素部を例示している。
【００５３】
こうした構成を有する画像センサは、各画素部から位相差検出用の２つの信号（以下、Ａ像信号、Ｂ像信号ともいう。）を出力できるように構成されている。また、２つのフォトダイオードの信号を加算した撮像画像の記録用の信号（Ａ像信号＋Ｂ像信号）も出力できるようになっている。この加算した信号の場合には、図２（Ａ）で概略説明したベイヤー配列例の画像センサの出力と同等の信号が出力される。
【００５４】
このような画像センサとしての撮像素子１０２からの出力信号を用いて、測距部１０８が２つの像信号の相関演算を行い、デフォーカス量や信頼性などの各種の情報を算出する。デフォーカス量は、Ａ像信号、Ｂ像信号のズレに基づき、像面でのデフォーカス量を算出する。デフォーカス量は正負の値を持っており、デフォーカス量が正の値であるか負の値であるかによって、前ピンであるか後ピンであるかが判別できる。また、デフォーカス量の絶対値によって、合焦の度合いが判別でき、デフォーカス量が０であれば合焦である。すなわち、測距部１０８は、測距位置（測距領域、焦点検出位置、焦点検出領域）について算出したデフォーカス量の正負に基づき前ピンであるか後ピンであるかの情報を本体マイコン１１９のＣＰＵ１１９ａなどに出力する。また、デフォーカス量の絶対値に基づいて合焦度合い（ピントのズレの度合い）を示す情報をＣＰＵ１１９ａなどに出力する。また、測距部１０８は、前ピンであるか後ピンであるかの情報は、デフォーカス量が所定値を超える場合に出力し、デフォーカス量の絶対値が所定値以内である場合には、合焦であるという情報を出力する。なお、合焦度合いを示す情報は、デフォーカス量を、合焦するまでにフォーカスリング１３４を回転させる操作量に換算した値として出力される。
【００５５】
なお、本実施形態の撮像素子１０２は、撮像用の信号と、位相差検出用の２つの信号の計３つの信号を出力するが、これに限定されない。例えば、撮像用の信号と、位相差検出用の一対の像信号のうちの１つの計２つの信号を出力するようにしてもよい。この場合、出力後に位相差検出用の一対の像信号のうちの他の１つの信号は、撮像素子１０２からの２つの出力信号を利用して算出される。
【００５６】
また、図２の例では、１つのマイクロレンズに対して光電変換手段としてのフォトダイオードが２つ設けられている画素部がアレイ状に並べられているが、１つのマイクロレンズに対して光電変換手段としてのフォトダイオードが３つ以上設けられている画素部をアレイ状に並べてもよい。また、マイクロレンズに対して受光部の開口位置が異なる画素部を複数有するようにしてもよい。つまり、結果的にＡ像信号とＢ像信号といった位相差検出可能な位相差検出用の２つの信号が取得できれば十分である。
【００５７】
図３から図６は、デジタルカメラ１０が行う各種制御処理を示すフローチャートである。なお、これらのフローチャートの動作は、本体マイコン１１９（詳しくはＣＰＵ１１９ａ）がＲＯＭ１１９ｂに格納されたプログラムをＲＡＭ１１９ｃに展開し、ＣＰＵ１１９ａがプログラムに基づいてデジタルカメラ１０の各部を制御することによって実現される。
【００５８】
＜撮影モード処理＞
まず、図３のフローチャートを参照して、本実施形態のデジタルカメラ１０による撮影モード処理について説明する。なお、図３の処理は、デジタルカメラ１０を起動して撮影モードに設定されると開始される。
【００５９】
Ｓ３０１では、ＣＰＵ１１９ａは、表示部１０７に出力するフォーカスガイドの表示形態を決定する。なお、フォーカスガイド表示形態の決定は、顔検出機能のＯＮ／ＯＦＦ、フォーカス制御モードの設定がＡＦであるかＭＦであるか、デジタルカメラ１０の姿勢、フォーカスガイドの表示機能のＯＮ／ＯＦＦ、などの情報に基づいて行う。この処理の詳細は図５および図６を用いて後述する。
【００６０】
Ｓ３０２では、ＣＰＵ１１９ａは、Ｓ３０１で決定した表示形態は、フォーカスガイドが表示可能な形態であるか否かを判定する。より詳しくは、後述する図５の処理により、フォーカスガイド表示：あり、となったか否かを判定する。フォーカスガイドが表示可能な形態であればＳ３０３に進み、そうでない場合はＳ３０５に進む。
【００６１】
Ｓ３０３では、ＣＰＵ１１９ａは、Ｄｉｓｐレベルの設定が情報非表示に設定されているか否かを判定する。Ｄｉｓｐレベルとは、撮像画像に重畳して表示する各種情報を、どの程度詳細に表示するか、どの種別の情報を表示するかに関する設定がそれぞれ異なる複数段階の情報表示レベルのことである。Ｄｉｓｐレベルが情報非表示に設定されている場合には、撮像画像に対してどのような情報も表示されない。Ｄｉｓｐレベルの設定については、Ｓ３３４で後述する。Ｄｉｓｐレベルが情報非表示設定である場合にはＳ３０５に進み、それ以外のＤｉｓｐレベルである場合にはＳ３０４に進む。
【００６２】
Ｓ３０４では、ＣＰＵ１１９ａは、フォーカスガイドの表示処理を行う。この処理は、撮像画像のうちの特定の箇所（測距位置、焦点検出位置）の被写体について、測距部１０８により取得した情報に基づいて、合焦度合いと、合焦するまでの操作方向を示す表示要素を含むフォーカスガイドの表示を行う処理である。この処理の詳細は図４を用いて後述する。
【００６３】
Ｓ３０５では、ＣＰＵ１１９ａは、フォーカスガイドの表示を行わずに、ライブビュー画像を表示部１０７に表示する。ライブビュー画像とは、撮像素子１０２で撮像され、画像処理部１１８でライブビュー用の画像処理が施された画像であり、所定のフレームレートで逐次更新される画像のことである。
【００６４】
Ｓ３０６では、ＣＰＵ１１９ａは、ダイヤル１２６が操作されたか否かを判定する（移動指示受付）。ダイヤル１２６が操作された場合はＳ３０７に進み、そうでない場合はＳ３０８に進む。
【００６５】
Ｓ３０７は、ＣＰＵ１１９ａは、ダイヤル１２６の操作に応じて測距位置（測距領域、焦点検出位置、焦点検出領域）をジャンプ（複数の特定箇所のいずれかに移動）する。例えば、映像を縦横に黄金比（およそ５：８）に分割した交点４箇所のうち、直前の測距位置に最も近い交点からダイヤル１２６の回転方向に応じた次の交点の位置へジャンプ（測距位置を変更）する。また、ＣＰＵ１１９ａは、移動した測距位置で、ＲＡＭ１１９ｃに保持している測距位置を更新する。測距位置が移動すると、フォーカスガイドの表示位置も測距位置に連動して移動する。一般に、映像中において主要な被写体を黄金比の交点に配置すると構図が安定するとされている。そのため、黄金比を意識した撮影を行っている場合には、上述の交点４箇所のいずれかに、焦点調節を行うべき被写体を配置している可能性が高い。このように、ダイヤル１２６の操作に応じて測距位置を黄金比の交点に順次ジャンプするようにすれば、黄金比の交点に配置した焦点調節を行いたい被写体の位置に素早く測距位置を変更することができる。なお、Ｓ３０６、Ｓ３０７の処理は、黄金比の補助線（グリッドライン）を表示する設定の場合にのみ行い、そうでない場合には黄金比を意識した撮影とは限らないのでダイヤル１２６を操作しても測距位置をジャンプしない構成としてもよい。また、黄金比の交点に限らず、３分割線の交点や、画面中央などにジャンプするようにしてもよい。さらに、表示しているグリッドラインの種別に応じて異なる位置にジャンプするようにしてもよい。例えば、黄金比のグリッドラインを表示している場合にはダイヤル１２６の操作に応じて上述のように黄金比の交点に順次測距位置を移動させる。一方、３分割のグリッドラインを表示している場合にはダイヤル１２６の操作に応じて３分割線の交点に順次測距位置を移動させる。
【００６６】
Ｓ３０８では、ＣＰＵ１１９ａは、十字キー１２５が操作されたか否かを判定する（移動指示受付）。十字キー１２５が操作された場合にはＳ３０９に進み、そうでない場合はＳ３１０に進む。
【００６７】
Ｓ３０９は、ＣＰＵ１１９ａは、十字キー１２５のうち操作されたキーに対応する方向（上下左右のいずれかの方向）へ測距位置を一定量移動する。また、ＣＰＵ１１９ａは、移動した測距位置で、ＲＡＭ１１９ｃに保持している測距位置を更新する。測距位置を移動すると、フォーカスガイドの表示位置も測距位置に連動して移動する。十字キー１２５が操作され続けた場合（所定時間以上継続して押下された場合）は操作時間に応じて測距位置の移動速度を加速するようにしてもよい。このようにすることで、移動前の測距位置から離れた位置の被写体に対しても素早く測距位置を移動することができる。ダイヤル１２６の操作に応じた測距位置の移動が、複数の予め決められた位置のいずれかに測距位置をジャンプさせる移動であるのに対し、十字キー１２５の操作に応じた測距位置の移動は、画面上の任意の位置に測距位置を移動させる操作である。また、画像処理部１１８で顔検出制御が行われていれば、十字キー１２５の操作方向に存在する、検出された顔の位置へ測距位置を移動するようにしてもよい。このようにすれば、離れた顔に対しても即座に測距位置を移動することができる。
【００６８】
なお、Ｓ３０６〜Ｓ３０９で説明したようにユーザ操作に応じて測距位置を移動できるのは、Ｓ３１４で後述する顔検出機能がＯＦＦとなっている場合に限るものとする。顔検出機能がＯＮとなっている場合には、検出された顔のうち、主顔と判定されている顔の位置に測距位置を連動して移動させる。そのため、顔検出機能がＯＮとなっている場合はユーザによるダイヤル１２６の操作や十字キー１２５の操作が行われても測距位置を移動しない。
【００６９】
Ｓ３１０では、ＣＰＵ１１９ａは、メニューキー１２４が押下されたか否かを判定する。メニューキー１２４が押下された場合はＳ３１１に進み、そうでない場合は図３（Ｂ）のＳ３２２に進む。
【００７０】
Ｓ３１１では、ＣＰＵ１１９ａは、表示部１０７に、デジタルカメラ１０に関する設定項目（メニュー項目）を一覧したメニュー画面を表示する。メニュー画面内では、十字キー１２５またはダイヤル１２６によってメニュー項目のいずれかを選択し、ＳＥＴキー１２７で選択や確定の操作を行うことによって、デジタルカメラ１０の各種機能の設定を変更することができる。
【００７１】
Ｓ３１２では、ＣＰＵ１１９ａは、フォーカスガイドの表示機能のＯＮ／ＯＦＦ設定を切り替えるメニュー項目が選択され、選択された項目からフォーカスガイドの表示機能のＯＮ／ＯＦＦを切り替える操作が行われたか否かを判定する。フォーカスガイドの表示機能のＯＮ／ＯＦＦを切り替える操作が行われた場合はＳ３１３に進み、そうでない場合はＳ３１４に進む。
【００７２】
Ｓ３１３では、ＣＰＵ１１９ａは、フォーカスガイドの表示機能のＯＮ／ＯＦＦ設定を変更する。フォーカスガイドの表示機能がＯＮに設定された場合は、ＯＮに設定されていることを示す情報がＲＯＭ１１９ｂに記憶され、フォーカスガイドの表示機能がＯＦＦに設定された場合は、ＯＦＦに設定されていることを示す情報がＲＯＭ１１９ｂに記憶される。このようにメニュー項目からフォーカスガイドの表示機能がＯＦＦに設定された場合は、いかなる場合であってもフォーカスガイドの表示は行わない。一方、メニュー項目からフォーカスガイドの表示機能がＯＮに設定された場合には、常にフォーカスガイドの表示が行われるわけではなく、フォーカス制御モードの設定がＡＦであるかＭＦであるかといった条件や、Ｄｉｓｐレベルなどの各種条件に基づき、状況によってフォーカスガイドの表示を行う。
【００７３】
Ｓ３１４では、ＣＰＵ１１９ａは、顔検出機能のＯＮ／ＯＦＦ設定を切り替えるメニュー項目が選択され、選択された項目から顔検出機能のＯＮ／ＯＦＦを切り替える操作が行われたか否かを判定する。顔検出機能のＯＮ／ＯＦＦ設定を切り替える操作が行われた場合はＳ３１５に進み、そうでない場合はＳ３１６に進む。
【００７４】
Ｓ３１５では、ＣＰＵ１１９ａは、顔検出機能のＯＮ／ＯＦＦ設定を切り替える操作に基づいて顔検出機能をＯＮまたはＯＦＦに設定し、設定された状態を示す情報をＲＯＭ１１９ｂに記憶する。顔検出機能がＯＮに設定された場合は、撮像されているライブビュー画像（撮像画像）から人物の顔領域（特定の被写体領域）を検出し、検出された顔領域に顔枠を付して表示する。また、ＡＦに設定されている場合には、検出された複数の顔領域のうち、サイズが大きい、画面中央に近い、予め登録された特定の人物であると個人認証されている等の条件に基づいて最も主要な顔と判定された顔（主顔）に対してＡＦを行う（顔ＡＦ）。顔検出機能がＯＮに設定され、顔が検出できた場合には、測距位置を、主顔領域の位置で上書きする。すなわち、後述するフォーカスガイドの表示位置を、検出された主顔（主顔枠）の位置に連動させる。
【００７５】
Ｓ３１６では、ＣＰＵ１１９ａは、ＡＦモード設定を変更するメニュー項目が選択され、ＡＦモードの変更操作が行われたか否かを判定する。ＡＦモードの変更操作が行われた場合にはＳ３１７に進み、そうでない場合はＳ３１８に進む。本実施形態においては、ワンショットＡＦとコンティニュアスＡＦの２つＡＦモードがあるものとする。ワンショットＡＦは、ユーザがワンショットＡＦキー１２９を１回押下したことに応じて１回のＡＦ動作を行い、それ以外の場合はフォーカス位置を移動しない動作モードである。ワンショットＡＦキー１２９の押下の度にＡＦ動作を行う。一方、コンティニュアスＡＦは、所定の被写体に対して合焦するように継続してＡＦ動作を行い続ける動作モードである、ユーザが操作を行わなくとも、合焦させるべき被写体が動いた場合やデジタルカメラ１０が移動した場合にはフォーカス位置が随時調節される。なお、本実施形態ではＡＦモードとして２つの例を挙げたが、これに限るものではなく、他のＡＦモードを選択可能であってもよい。
【００７６】
Ｓ３１７では、ＣＰＵ１１９ａは、ＡＦモードの変更操作に応じて、ユーザに選択されたＡＦモード（本実施形態ではワンショットＡＦとコンティニュアスＡＦのいずれか）に設定し、設定したＡＦモードを示す情報をＲＯＭ１１９ｂに記憶する。
【００７７】
Ｓ３１８では、ＣＰＵ１１９ａは、メニュー画面上で、上述のＳ３１２〜Ｓ３１６で説明した設定項目以外の設定項目に関して、設定変更操作が行われたか否かを判定する。設定変更操作があった場合はＳ３１９に進み、そうでない場合はＳ３２０に進む。
【００７８】
Ｓ３１９では、ＣＰＵ１１９ａは、Ｓ３１８で行われた操作に応じて設定を変更する。
【００７９】
Ｓ３２０では、ＣＰＵ１１９ａは、メニュー画面を閉じる操作が行われたか否かを判定する。メニュー画面を閉じる操作とは、メニューキー１２４が押下されるか、メニューの初期画面でキャンセルキー１２８を押下するか、もしくはメニュー終了の項目を選択した状態でＳＥＴキー１２７を押下するかのいずれかの操作である。メニュー画面を閉じる操作が行われた場合はＳ３２１に進み、そうでない場合はＳ３１２に戻って処理を繰り返す。
【００８０】
Ｓ３２１では、ＣＰＵ１１９ａは、メニュー画面の表示を終了し、ライブビュー画像を再表示し、図３（Ｂ）のＳ３２２に進む。
【００８１】
図３（Ｂ）のＳ３２２では、ＣＰＵ１１９ａは、ＡＦ／ＭＦスイッチ１３５によってＡＦとＭＦの切り替え操作が行われたか否かを判定する。ＡＦとＭＦの切り替え操作が行われた場合はＳ３２３に進み、そうでない場合はＳ３２４に進む。
【００８２】
Ｓ３２３では、ＣＰＵ１１９ａは、ＡＦ／ＭＦスイッチ１３５の操作に応じてＡＦとＭＦを切り替える。ＡＦに切り替えられた場合には、ＡＦに切り替えられたことを示す情報をＲＯＭ１１９ｂに記憶し、ＡＦ制御を開始する。また、ＡＦに切り替えられた場合は、前述のワンショットＡＦモードとコンティニュアスＡＦモードのうち、現在のＡＦモードが示すモードでのＡＦ制御を行う。
【００８３】
Ｓ３２４では、ＣＰＵ１１９ａは、ＡＦ／ＭＦスイッチ１３５によってＡＦに設定されており、かつ、ＡＦモードがワンショットＡＦモードであるか否かを判定する。ＡＦモードがワンショットＡＦモードである場合はＳ３２５に進み、そうでない場合はＳ３２７に進む。
【００８４】
Ｓ３２５では、ＣＰＵ１１９ａは、ワンショットＡＦキー１２９が押下されたか否かを判定する（ＡＦ実行指示の受付）。ワンショットＡＦキー１２９が押下された場合はＳ３２６に進み、そうでない場合はＳ３２７に進む。
【００８５】
Ｓ３２６では、ＣＰＵ１１９ａは、ＡＦ枠に対応する測距位置の被写体が合焦するようにフォーカス制御部１１３を制御してＡＦを行う。
【００８６】
Ｓ３２７では、ＣＰＵ１１９ａは、ＡＦ／ＭＦスイッチ１３５によってＡＦに設定されており、かつ、ＡＦモードがコンティニュアスＡＦモードであるか否かを判定する。ＡＦモードがコンティニュアスＡＦモードである場合はＳ３２８に進み、そうでない場合はＳ３３３に進む。
【００８７】
Ｓ３２８では、ＣＰＵ１１９ａは、ＡＦロックキー１３０の押下によってＡＦロック状態にあるか否かを判定する。ＡＦロック状態であればＳ３２９に進み、そうでない場合はＳ３３０に進む。ＡＦロック状態は、コンティニュアスＡＦモード中に、一時的にＡＦを行わずにフォーカス位置を固定している状態である。
【００８８】
Ｓ３２９では、ＣＰＵ１１９ａは、ＡＦロックキー１３０が押下されたか否かを判定する（ＡＦの停止指示または停止解除指示の受付）。ＡＦロックキー１３０が押下された場合はＳ３３０に進み、そうでない場合はＳ３３５に進む。
【００８９】
Ｓ３３０では、ＣＰＵ１１９ａは、ＡＦロック状態を解除し、コンティニュアスＡＦを行い、ＡＦ枠に対応する被写体が合焦するようフォーカス制御部１１３を継続して制御する。
【００９０】
Ｓ３３１では、ＣＰＵ１１９ａは、ＡＦロックキー１３０が押下されたか否かを判定する。ＡＦロックキー１３０が押下された場合はＳ３３２に進み、そうでない場合はＳ３３３に進む。
【００９１】
Ｓ３３２では、ＣＰＵ１１９ａは、コンティニュアスＡＦを停止し、ＡＦをロックする（ＡＦロック状態にする）。すなわち、フォーカス制御部１１３によるＡＦ制御を停止する。これによってＡＦによるフォーカス位置の変更は停止されるが、フォーカスリング１３４の操作によるマニュアルフォーカスは可能である。
【００９２】
Ｓ３３３では、ＣＰＵ１１９ａは、ＤＩＳＰＬＡＹキー１３１が押下されたか否かを判定する。ＤＩＳＰＬＡＹキー１３１が押下された場合はＳ３３６に進み、そうでない場合はＳ３３５に進む。
【００９３】
Ｓ３３４では、ＣＰＵ１１９ａは、ＤＩＳＰＬＡＹキー１３１の押下に応じてＤｉｓｐレベルを切り替え、変更されたＤｉｓｐレベルをＲＯＭ１１９ｂに記憶し、変更されたＤｉｓｐレベルに応じた情報表示を行う。
【００９４】
Ｓ３３５では、ＣＰＵ１１９ａは、動画レリーズキー１３２が押下されたか否かを判定する。動画レリーズキー１３２が押下された場合はＳ３３６に進み、そうでない場合はＳ３３９に進む。
【００９５】
Ｓ３３６では、ＣＰＵ１１９ａは、動画の記録動作中（撮影記録中）であるか否かを判定する。記録動作中であればＳ３３８に進み、そうでない場合（撮影待機中である場合）はＳ３３７に進む。
【００９６】
Ｓ３３７では、ＣＰＵ１１９ａは、動画記録を開始する。すなわち、撮像素子１０２で撮像され、画像処理部１１８で記録用に処理された動画を、所定のファイルフォーマットに従って記録媒体１０５に動画ファイルとして記録していく。
【００９７】
Ｓ３３８では、ＣＰＵ１１９ａは、動画記録を停止する。動画記録を停止すると、記録していた動画ファイルに対して属性付与を行ったり、ファイルをクローズするなどの動画終了処理を行う。
【００９８】
Ｓ３３９では、ＣＰＵ１１９ａは、静止画レリーズキー１３３が押下されたか否かを判定する。静止画レリーズキー１３３が押下された場合はＳ３４０に進み、そうでない場合はＳ３４４に進む。
【００９９】
Ｓ３４０では、ＣＰＵ１１９ａは、静止画レリーズキー１３３が半押しされたか否かを判定する。静止画レリーズキー１３３が半押しされた場合はＳ３４１に進み、そうでない場合はＳ３４２に進む。
【０１００】
Ｓ３４１では、ＣＰＵ１１９ａは、静止画レリーズキー１３３の半押し時の静止画の記録準備動作としてＡＦ制御や露出制御などを行う。
【０１０１】
Ｓ３４２では、ＣＰＵ１１９ａは、静止画レリーズキー１３３の全押し時の処理動作を開始する。すなわち、撮像素子１０２で撮像され、画像処理部１１８で記録用に処理された静止画を、所定のファイルフォーマットに従って記録媒体１０５に静止画ファイルとして記録する。なお、全押し時の処理動作は半押し時の準備動作の完了後に行ってもよいし、半押し時の動作の完了を待たずして行ってもよい。ただし、半押し時の動作の開始は全押し時の動作の完了後に行うことができるものとする。
【０１０２】
Ｓ３４３では、ＣＰＵ１１９ａは、上記の処理ステップで挙げたイベント以外のイベントが発生したか否かを判定する。その他のイベントがあった場合はＳ３４４に進み、そうでない場合はＳ３４５に進む。Ｓ３４４では、ＣＰＵ１１９ａは、Ｓ３４３で発生したイベントに対応する処理を行う。
【０１０３】
Ｓ３４５では、ＣＰＵ１１９ａは、撮影モード処理を終了するイベントがあったか否かを判定する。終了イベントがあった場合は撮影モードを終了し、そうでない場合は、Ｓ３０１に戻って処理を繰り返す。終了イベントには、例えば、デジタルカメラ１０の電源をオフにする操作、電源電圧低下による電源オフ、撮影待機状態で所定時間無操作だったことに応じたオートパワーオフ、再生モードや通信モードなど撮影モード以外の動作モードに移行する操作などがある。
【０１０４】
＜フォーカスガイドの表示処理＞
図３（Ａ）のＳ３０４におけるフォーカスガイドの表示処理の詳細について説明する。図４に、図３（Ａ）のＳ３０４で説明したフォーカスガイドの表示処理のフローチャートを示す。
【０１０５】
Ｓ４０１では、ＣＰＵ１１９ａは、ＲＡＭ１１９ｃに保持されている測距位置（焦点検出位置）を読み出す。
【０１０６】
Ｓ４０２では、ＣＰＵ１１９ａは、Ｓ４０１で得られた測距位置に対応する被写体について、測距部１０８により合焦情報を取得する。合焦情報は、前述のように、デフォーカス量に基づいて算出された合焦・前ピン・後ピンのいずれの状態にあるかという情報と合焦度合いを示す情報を含む。
【０１０７】
Ｓ４０３では、ＣＰＵ１１９ａは、図３のＳ３０１で決定されたフォーカスガイドの表示形態、並びに、Ｓ４０１とＳ４０２で得られた情報に基づいて、ＧＰＵ１１５により描画するフォーカスガイドの表示内容を決定する。フォーカスガイドの表示内容は、フォーカス枠の表示位置、フォーカス指標の角度および表示色を含む。フォーカス枠の表示位置は、測距位置に決定される。フォーカス指標の角度は、合焦・前ピン・後ピンのいずれの状態にあるかという情報と、前ピンまたは後ピンの場合の、合焦度合い情報に基づいて決定される。表示色は、合焦・前ピン・後ピンのいずれの状態にあるかという情報に基づいて決定される。
【０１０８】
Ｓ４０４では、ＣＰＵ１１９ａは、Ｓ４０２で得られた合焦情報について、被写体が合焦状態にあるか非合焦状態にあるかを判定する。合焦状態であればＳ４０６に進み、非合焦状態であればＳ４０５に進む。
【０１０９】
Ｓ４０５では、ＣＰＵ１１９ａは、Ｓ４０２で得られた合焦情報について、被写体が前ピン状態であるか後ピン状態であるかを判定する。前ピン状態であればＳ４０７に進み、後ピンであればＳ４０８に進む。
【０１１０】
Ｓ４０６では、ＣＰＵ１１９ａは、指標パターンＡ、すなわち、被写体が合焦状態である場合のフォーカスガイドの表示データを選択する。図７（Ａ）に指標パターンＡの表示データによる表示例を示す。指標７０１は、合焦状態（焦点検出領域の被写体に合焦している状態）を示しており、図７（Ｂ）、（Ｃ）で後述する指標７０３および指標７０４および指標７０５の３つが互いに重なって一体化した状態を表している。また、色も他の状態とは異なる色（例えば、緑色）で表示される。このような表示内容とすることで、合焦状態やその付近では、他の状態に比べて指標の表示面積が小さくなるため、ユーザが映像を視認する際の影響を低減することができる。枠７０２は、ライブビュー画像上におけるＳ４０１で得られた測距位置に対応する被写体領域を示している。
【０１１１】
Ｓ４０７では、ＣＰＵ１１９ａは、指標パターンＢ、すなわち、被写体が前ピン状態である場合のフォーカスガイドの表示データを選択する。図７（Ｂ）に指標パターンＢの表示データによる表示例を示す。指標７０３は、合焦状態に近づけるための指標７０４および指標７０５の目標地点を示しており、枠７０２に向いている三角形で表現されている。指標７０４と指標７０５は、互いの表示距離によって、測距位置の合焦度合いを表している。被写体とデジタルカメラ１０の距離が変動すると、合焦度合いが変化するため、指標７０４と指標７０５との間隔が狭まったり広がったり動的に表示位置が変化する。指標７０４と指標７０５との距離（角度）は、合焦度合い情報に基づいて、焦点検出領域において合焦からのズレが大きい場合に比べて小さい場合の方が表示距離が小さくなる（狭くなる、角度は小さくなる）ように変化する。また、矢印７０６は、合焦させるためにフォーカスリング１３４を回転すべき方向を示している。これによって、ユーザがフォーカスリング１３４の操作に不慣れな場合であっても、回転方向に迷うことなくスムーズに合焦方向へ操作することができる。なお、表示部１０７がバリアングル式やチルト式のモニタなどであって、フォーカスリング１３４に対する向きが変更可能な場合は、表示部１０７の向きを検出し、矢印７０６の向きを変更することで、表示部１０７のいずれの向きにも対応することができる。
【０１１２】
Ｓ４０８では、ＣＰＵ１１９ａは、指標パターンＣ、すなわち、被写体が後ピン状態である場合のフォーカスガイドの表示データを選択する。図７（Ｃ）に指標パターンＣの表示データによる表示例を示す。図７（Ｂ）の指標の形状と異なり、指標７０４および指標７０５は互いの位置が逆転している。このような表示内容とすることで、ユーザが一目で前ピンであるか後ピンであるかを判別できる。また、矢印７０６も図７（Ｂ）とは反対の方向を指示しており、合焦方向へ操作するためのフォーカスリング１３４の回転方向が異なることがわかる。
【０１１３】
Ｓ４０９では、ＣＰＵ１１９ａは、Ｓ４０６からＳ４０８のいずれかで選択されたフォーカスガイドの表示データを、Ｓ４０３で決定した表示内容で、ＧＰＵ１１５によって表示用ＶＲＡＭへ描画する。
【０１１４】
Ｓ４１０では、ＣＰＵ１１９ａは、Ｓ４０９で描画されたＶＲＡＭを、表示用Ｉ／Ｆ部１０６によって映像（ライブビュー画像）と重畳し、表示部１０７に表示する。
【０１１５】
上述したように、フォーカスガイドは、測距位置（焦点検出位置）の被写体を合焦状態にするためのフォーカスリング１３４の操作方向と操作量をユーザに提示する。言い換えれば、フォーカスガイドは、測距位置の被写体の合焦度合い（ピントのずれの度合い）を示している。更に言い換えれば、フォーカスガイドは、測距位置の被写体に合焦させた場合の焦点距離と現在の焦点距離のずれを示している。更に言い換えれば、フォーカスガイドは、合焦位置（現在焦点の合っている位置とデジタルカメラ１０との距離）と測距位置の被写体距離（デジタルカメラ１０と被写体との距離）との関係を示している。
【０１１６】
＜フォーカスガイドの表示形態決定処理＞
次に、図５のフローチャートを参照して、図３（Ａ）のＳ３０１におけるフォーカスガイドの表示形態決定処理を説明する。
【０１１７】
Ｓ５０１では、ＣＰＵ１１９ａは、ＲＯＭ１１９ｂに記憶されている設定情報を参照し、顔検出機能がＯＮに設定されているか否かを判定する。図３のＳ３１４およびＳ３１５で顔検出機能がＯＮに設定に切り替えられた場合は、顔検出機能がＯＮであると判定する。顔検出機能がＯＮに設定されている場合はＳ５１２に進み、そうでない場合はＳ５０２に進む。
【０１１８】
Ｓ５０２では、ＣＰＵ１１９ａは、ＡＦ／ＭＦスイッチ１３５によってＡＦに設定されているか否かを判定する。ＡＦに設定されている場合にはＳ５１１に進み、そうでない場合（すなわちＭＦモードに設定されている場合）はＳ５０３に進む。
【０１１９】
Ｓ５０３では、ＣＰＵ１１９ａは、ＲＯＭ１１９ｂに記憶されている設定情報を参照し、フォーカスガイドの表示機能がＯＮに設定されているか否かを判定する。図３のＳ３１３でフォーカスガイドの表示機能がＯＮに設定されていた場合は、フォーカスガイドの表示機能がＯＮであると判定される。フォーカスガイドの表示機能がＯＮに設定されている場合はＳ５０４に進み、そうでない場合はＳ５１１に進む。
【０１２０】
Ｓ５０４ａでは、ＣＰＵ１１９ａは、フォーカス指標の回転が有効であるか無効であるかを判定する。このフォーカス指標の回転の有効・無効判定処理の詳細は、図６で後述する。
【０１２１】
Ｓ５０４ｂでは、ＣＰＵ１１９ａは、Ｓ５０４ａでの判定の結果、フォーカス指標の回転が有効であると判定された場合はＳ５０５に進み、そうでない場合はＳ５１０に進む。
【０１２２】
Ｓ５０５では、ＣＰＵ１１９ａは、姿勢検出部１３６によりデジタルカメラ１０の姿勢情報を検出する。姿勢情報が＋０度（正位置）の場合はＳ５０６に進む。姿勢情報が＋９０度（右に９０度回転）の場合はＳ５０７に進む。姿勢情報が−９０度（左に９０度回転）の場合はＳ５０８に進む。姿勢情報が＋１８０度（右または左に１８０度回転）の場合はＳ５０９に進む。
【０１２３】
Ｓ５０６では、ＣＰＵ１１９ａは、フォーカスガイドの表示形態を、フォーカスガイド表示：あり、フォーカス枠：非回転、フォーカス指標：非回転、に設定し、その内容をＲＡＭ１１９ｃに保持する。この結果、表示部１０７には、後述する図８（Ｂ）のような画面が表示される。
【０１２４】
Ｓ５０７では、ＣＰＵ１１９ａは、フォーカスガイドの表示形態を、フォーカスガイド表示：あり、フォーカス枠：非回転、フォーカス指標：−９０度（左に９０度）回転、に設定し、その内容をＲＡＭ１１９ｃに保持する。この結果、表示部１０７には、後述する図８（Ｃ）のような画面が表示される。
【０１２５】
Ｓ５０８では、ＣＰＵ１１９ａは、フォーカスガイドの表示形態を、フォーカスガイド表示：あり、フォーカス枠：非回転、フォーカス指標：＋９０度（右に９０度）回転、に設定し、その内容をＲＡＭ１１９ｃに保持する。この結果、表示部１０７には、後述する図８（Ｄ）のような画面が表示される。
【０１２６】
Ｓ５０９では、ＣＰＵ１１９ａは、フォーカスガイドの表示形態を、フォーカスガイド表示：あり、フォーカス枠：非回転、フォーカス指標：−１８０度（左または右に１８０度）回転、に設定し、その内容をＲＡＭ１１９ｃに保持する。この結果、表示部１０７には、後述する図８（Ｅ）のような画面が表示される。
【０１２７】
Ｓ５１０では、ＣＰＵ１１９ａは、フォーカスガイドの表示形態を、フォーカスガイド表示：あり、フォーカス枠：非回転、フォーカス指標：非回転、に設定し、その内容をＲＡＭ１１９ｃに保持する。この結果、表示部１０７には、後述する図８（Ｆ）〜（Ｉ）のような画面が表示される。
【０１２８】
Ｓ５１１では、ＣＰＵ１１９ａは、フォーカスガイドの表示形態を、フォーカスガイド表示：なし、に設定し、その内容をＲＡＭ１１９ｃに保持する。この結果、表示部１０７には、後述する図８（Ａ）のような画面が表示される。
【０１２９】
Ｓ５１２では、ＣＰＵ１１９ａは、ＡＦ／ＭＦスイッチ１３５によってＡＦに設定されているか否かを判定する。ＡＦに設定されている場合にはＳ５１３に進み、そうでない場合（すなわちＭＦモードに設定されている場合）はＳ５１４に進む。
【０１３０】
Ｓ５１３では、ＣＰＵ１１９ａは、ユーザによってＭＦ動作が行われたか否かを判定する。ＭＦ動作が行われた場合にはＳ５１４に進み、そうでない場合はＳ５２２に進む。
【０１３１】
Ｓ５１４では、前述のＳ５０３と同様に、ＣＰＵ１１９ａは、ＲＯＭ１１９ｂに記憶されている設定情報を参照し、フォーカスガイドの表示機能がＯＮに設定されているか否かを判定する。フォーカスガイドの表示機能がＯＮに設定されている場合はＳ５１５に進み、そうでない場合はＳ５２１に進む。
【０１３２】
Ｓ５１５ａでは、前述のＳ５０４ａと同様に、ＣＰＵ１１９ａは、フォーカス指標の回転が有効であるか無効であるかを判定する。このフォーカス指標の回転の有効・無効判定処理の詳細は、図６で後述する。
【０１３３】
Ｓ５１５ｂでは、前述のＳ５０４ｂと同様に、ＣＰＵ１１９ａは、Ｓ５１５ａでの判定の結果、フォーカス指標の回転が有効であると判定された場合はＳ５１６に進み、そうでない場合はＳ５２１に進む。
【０１３４】
Ｓ５１６では、前述のＳ５０５と同様に、ＣＰＵ１１９ａは、デジタルカメラ１０の姿勢情報を検出する。姿勢情報が＋０度（正位置）の場合はＳ５１７に進む。姿勢情報が＋９０度（右に９０度回転）の場合はＳ５１８に進む。姿勢情報が−９０度（左に９０度回転）の場合はＳ５１９に進む。姿勢情報が＋１８０度（右または左に１８０度回転）の場合はＳ５２０に進む。
【０１３５】
Ｓ５１７では、ＣＰＵ１１９ａは、フォーカスガイドの表示形態を、フォーカスガイド表示：あり、フォーカス枠：顔枠に変更、フォーカス指標：非回転、に設定し、その内容をＲＡＭ１１９ｃに保持する。この結果、表示部１０７には、後述する図９（Ｂ）のような画面が表示される。
【０１３６】
Ｓ５１８では、ＣＰＵ１１９ａは、フォーカスガイドの表示形態を、フォーカスガイド表示：あり、フォーカス枠：顔枠に変更、フォーカス指標：−９０度（左に９０度）回転、に設定し、その内容をＲＡＭ１１９ｃに保持する。この結果、表示部１０７には、後述する図９（Ｃ）のような画面が表示される。
【０１３７】
Ｓ５１９では、ＣＰＵ１１９ａは、フォーカスガイドの表示形態を、フォーカスガイド表示：あり、フォーカス枠：顔枠に変更、フォーカス指標：＋９０度（右に９０度）回転、に設定し、その内容をＲＡＭ１１９ｃに保持する。この結果、表示部１０７には、後述する図９（Ｄ）のような画面が表示される。
【０１３８】
Ｓ５２０では、ＣＰＵ１１９ａは、フォーカスガイドの表示形態を、フォーカスガイド表示：あり、フォーカス枠：顔枠に変更、フォーカス指標：−１８０度（左または右に１８０度）回転、に設定し、その内容をＲＡＭ１１９ｃに保持する。この結果、表示部１０７には、後述する図９（Ｅ）のような画面が表示される。
【０１３９】
Ｓ５２１では、ＣＰＵ１１９ａは、フォーカスガイドの表示形態を、フォーカスガイド表示：あり、フォーカス枠：顔枠に変更、フォーカス指標：非回転、に設定し、その内容をＲＡＭ１１９ｃに保持する。この結果、表示部１０７には、後述する図９（Ｆ）〜（Ｉ）のような画面が表示される。
【０１４０】
Ｓ５２２では、ＣＰＵ１１９ａは、フォーカスガイドの表示形態を、フォーカスガイド表示：なし、に設定し、その内容をＲＡＭ１１９ｃに保持する。この結果、表示部１０７には、後述する図９（Ａ）のような画面が表示される。
【０１４１】
＜フォーカスガイドの画面表示例＞
次に、図５のフォーカスガイドの表示形態決定処理によるフォーカスガイドの画面表示例を説明する。
【０１４２】
図８（Ａ）〜（Ｉ）および図９（Ａ）〜（Ｉ）に、表示部１０７へ出力される画面表示例を示す。ここで、図８（Ａ）〜（Ｉ）および図９（Ａ）〜（Ｉ）では省略しているが、Ｄｉｓｐレベルが情報非表示以外の場合には、そのＤｉｓｐレベルに応じて、グリッドライン、電池残量、残り撮影可能時間などの情報もライブビュー画像に重畳して表示される。また、図８（Ａ）に示される黒塗りの三角形８０１は、デジタルカメラ１０が正位置（姿勢情報が＋０度）のときの表示部１０７の左上隅を表しており、図８および図９における他の図においても同様の役割とする。なお、三角形８０１はカメラの姿勢変化（画面の回転方向）の判別の容易化のために示しているだけであって、実際に表示部１０７に表示されるものではない。また、以下の説明では、図３のＳ３１４およびＳ３１５で説明した顔検出機能がＯＮに設定されている場合を単に顔検出ＯＮ、ＯＦＦに設定されている場合を単に顔検出ＯＦＦと略称する。
【０１４３】
図８（Ａ）は、顔検出ＯＦＦかつＡＦ設定の場合、および、顔検出ＯＦＦかつＭＦ設定かつフォーカスガイドの表示機能がＯＮ設定の場合の画面表示例である。この場合、表示部１０７にはライブビュー画像が表示され、フォーカスガイドや顔枠は表示されない。
【０１４４】
図８（Ｂ）は、顔検出ＯＦＦかつＭＦ設定かつフォーカスガイドの表示機能がＯＮ設定かつフォーカス指標の回転が有効かつ姿勢情報が＋０度（正位置）の場合の画面表示例である。表示部１０７には、ライブビュー画像に重畳して、フォーカスガイド８０２が表示される。デジタルカメラ１０の姿勢情報が＋０度（正位置）であるので、フォーカスガイド８０２のフォーカス枠８０６およびフォーカス指標８０３〜８０５は正位置（＋０度）の表示となっている。なお、フォーカス指標８０３〜８０５の回転の有効・無効判定処理の詳細は、図６で後述する。
【０１４５】
図８（Ｃ）は、顔検出ＯＦＦかつＭＦ設定かつフォーカスガイドの表示機能がＯＮ設定かつフォーカス指標の回転が有効かつ姿勢情報が＋９０度（右に９０度回転）の場合の画面表示例である。表示部１０７には、ライブビュー画像に重畳して、フォーカスガイド８０２が表示されている。デジタルカメラ１０が右に９０度回転（＋９０度回転）されたことに応じて、フォーカスガイド８０２のフォーカス枠８０６は図８（Ｂ）の位置から右に９０度回転（＋９０度回転）したままで、フォーカス指標８０３〜８０５は図８（Ｂ）の位置から左に９０度回転（−９０度回転）している。
【０１４６】
図８（Ｄ）は、顔検出ＯＦＦかつＭＦ設定かつフォーカスガイドの表示機能がＯＮ設定かつフォーカス指標の回転が有効かつ姿勢情報が−９０度（左に９０度回転）の場合の画面表示例である。表示部１０７には、ライブビュー画像に重畳して、フォーカスガイド８０２が表示されている。デジタルカメラ１０が左に９０度回転（−９０度回転）されたことに応じて、フォーカスガイド８０２のフォーカス枠８０６は左に９０度回転（−９０度回転）したままで、フォーカス指標８０３〜８０５は図８（Ｂ）の位置から右に９０度回転（＋９０度回転）している。
【０１４７】
図８（Ｅ）は、顔検出ＯＦＦかつＭＦ設定かつフォーカスガイドの表示機能がＯＮ設定かつフォーカス指標の回転が有効かつ姿勢情報が＋１８０度（右または左に１８０度回転）の場合の画面表示例である。表示部１０７には、ライブビュー画像に重畳して、フォーカスガイド８０２が表示されている。デジタルカメラ１０が右または左に１８０度回転（＋１８０度または−１８０度回転）されたことに応じて、フォーカスガイド８０２のフォーカス枠８０６は右または左に１８０度回転（＋１８０度または−１８０度回転）したままで、フォーカス指標８０３〜８０５は図８（Ｂ）の位置から左または右に１８０度回転（−１８０度または＋１８０度回転）している。
【０１４８】
図８（Ｆ）は、顔検出ＯＦＦかつＭＦ設定かつフォーカスガイドの表示機能がＯＮ設定かつフォーカス指標の回転が無効かつ姿勢情報が＋０度（正位置）の場合の画面表示例である。表示部１０７には、図８（Ｂ）と同様にライブビュー画像に重畳して、フォーカスガイド８０２が表示されている。
【０１４９】
図８（Ｇ）は、顔検出ＯＦＦかつＭＦ設定かつフォーカスガイドの表示機能がＯＮ設定かつフォーカス指標の回転が無効かつ姿勢情報が＋９０度（右に９０度回転）の場合の画面表示例である。表示部１０７には、ライブビュー画像に重畳して、フォーカスガイド８０２が表示されている。デジタルカメラ１０が図８（Ｅ）の位置から右に９０度回転（＋９０度回転）されたことに関わらず、フォーカスガイド８０２のフォーカス指標８０３〜８０５はフォーカス枠８０６と同様に回転していない。
【０１５０】
図８（Ｈ）は、顔検出ＯＦＦかつＭＦ設定かつフォーカスガイドの表示機能がＯＮ設定かつフォーカス指標の回転が無効かつ姿勢情報が−９０度（左に９０度回転）の場合の画面表示例である。表示部１０７には、ライブビュー画像に重畳して、フォーカスガイド８０２が表示されている。デジタルカメラ１０が図８（Ｅ）の位置から左に９０度回転（−９０度回転）されたことに関わらず、フォーカスガイド８０２のフォーカス指標８０３〜８０５はフォーカス枠８０６と同様に回転していない。
【０１５１】
図８（Ｉ）は、顔検出ＯＦＦかつＭＦ設定かつフォーカスガイドの表示機能がＯＮ設定かつフォーカス指標の回転が無効かつ姿勢情報が＋１８０度（右または左に１８０度回転）の場合の画面表示例である。表示部１０７には、ライブビュー画像に重畳して、フォーカスガイド８０２が表示されている。デジタルカメラ１０が図８（Ｅ）の位置から右または左に１８０度回転（＋１８０度または−１８０度回転）されたことに関わらず、フォーカスガイド８０２のフォーカス指標８０３〜８０５はフォーカス枠８０６と同様に回転していない。
【０１５２】
図９（Ａ）は、顔検出ＯＮかつＡＦ設定かつＭＦ動作が行われていない場合、および、顔検出ＯＮかつＭＦ設定かつフォーカスガイドの表示機能がＯＦＦ設定の場合の画面表示例である。この場合、表示部１０７にはライブビュー画像が表示され、フォーカスガイドは表示されず、顔枠９０２、９０３、９０４が表示されている。顔枠９０２〜９０４は、撮像画像から検出された顔の位置に表示される。顔枠９０２は主顔を示す枠であり、顔枠９０３と９０４は主顔以外の顔（副顔）を示す枠である。なお、例えば、図３のＳ３１７でＡＦモードの設定がワンショットＡＦモードに設定されていた場合、ＡＦ／ＭＦスイッチ１３５によってＡＦに設定されていても、ユーザによるフォーカスリング１３４の操作が行われることでＭＦ動作が可能である。また、ＡＦモードの設定がコンティニュアスＡＦモードに設定され、かつＡＦロックキー１３０の押下によってＡＦロック状態になっている場合にも同様にＭＦ動作が可能であるとする。
【０１５３】
図９（Ｂ）は、顔検出ＯＮかつＭＦ設定かつフォーカスガイドの表示機能がＯＮ設定かつフォーカス指標の回転が有効かつ姿勢情報が＋０度（正位置）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０の姿勢情報が＋０度（正位置）であるので、フォーカスガイド９０１のフォーカス指標９０５〜９０７は正位置（＋０度）の表示となっている。
【０１５４】
図９（Ｃ）は、顔検出ＯＮかつＭＦ設定かつフォーカスガイドの表示機能がＯＮ設定かつフォーカス指標の回転が有効かつ姿勢情報が＋９０度（右に９０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が右に９０度回転（＋９０度回転）されたことに応じて、フォーカスガイド９０１のフォーカス指標９０５〜９０７は左に９０度回転（−９０度回転）している。
【０１５５】
図９（Ｄ）は、顔検出ＯＮかつＭＦ設定かつフォーカスガイドの表示機能がＯＮ設定かつフォーカス指標の回転が有効かつ姿勢情報が−９０度（左に９０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が左に９０度回転（−９０度回転）されたことに応じて、フォーカスガイド９０１のフォーカス指標９０５〜９０７は右に９０度回転（＋９０度回転）している。
【０１５６】
図９（Ｅ）は、顔検出ＯＮかつＭＦ設定かつフォーカスガイドの表示機能がＯＮ設定かつフォーカス指標の回転が有効かつ姿勢情報が＋１８０度（右または左に１８０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が右または左に１８０度回転（＋１８０度または−１８０度回転）されたことに応じて、フォーカスガイド９０１のフォーカス指標９０５〜９０７は左または右に１８０度回転（−１８０度または＋１８０度回転）している。
【０１５７】
図９（Ｆ）は、顔検出ＯＮかつＭＦ設定かつフォーカスガイドの表示機能がＯＮ設定かつフォーカス指標の回転が無効かつ姿勢情報が＋０度（正位置）の場合の画面表示例である。表示部１０７には、図９（Ｂ）と同様にライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。
【０１５８】
図９（Ｇ）は、顔検出ＯＮかつＭＦ設定かつフォーカスガイドの表示機能がＯＮ設定かつフォーカス指標の回転が無効かつ姿勢情報が＋９０度（右に９０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が右に９０度回転（＋９０度回転）されたことに関わらず、フォーカスガイド９０１のフォーカス指標９０５〜９０７は回転していない。
【０１５９】
図９（Ｈ）は、顔検出ＯＮかつＭＦ設定かつフォーカスガイドの表示機能がＯＮ設定かつフォーカス指標の回転が無効かつ姿勢情報が−９０度（左に９０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が左に９０度回転（−９０度回転）されたことに関わらず、フォーカスガイド９０１のフォーカス指標９０５〜９０７は回転していない。
【０１６０】
図９（Ｉ）は、顔検出ＯＮかつＭＦ設定かつフォーカスガイドの表示機能がＯＮ設定かつフォーカス指標の回転が無効かつ姿勢情報が＋１８０度（右または左に１８０度回転）の場合の画面表示例である。表示部１０７には、ライブビュー画像に重畳して、顔枠９０２、９０３、９０４、フォーカスガイド９０１が表示されている。また、フォーカスガイド９０１の表示位置は主顔枠９０２の位置となり、図８のフォーカス枠８０６は主顔枠９０２に変更されている。デジタルカメラ１０が右または左に１８０度回転（＋１８０度または−１８０度回転）されたことに関わらず、フォーカスガイド９０１のフォーカス指標９０５〜９０７は回転していない。
【０１６１】
＜フォーカス指標の回転の有効・無効判定処理＞
次に、図６のフローチャートを参照して、図５のＳ５０４ａおよびＳ５１５ａにおけるフォーカス指標の回転の有効・無効判定処理の詳細について説明する。
【０１６２】
この処理は、判定結果として「有効」または「無効」のいずれかの値をリターンする処理である。本体マイコン１１９のＲＡＭ１１９ｃにリターン値の格納先（以下、判定結果）を持つ。判定結果の取り得る値もまた「有効」または「無効」のいずれかであり、初期値もまた同様である。
【０１６３】
Ｓ６０１では、ＣＰＵ１１９ａは、前述のＳ３２８と同様に、ＡＦロックキー１３０の押下によってＡＦロック状態にあるか否かを判定する。ＡＦロック状態であればＳ６０９に進み、そうでない場合はＳ６０２に進む。
【０１６４】
Ｓ６０２では、ＣＰＵ１１９ａは、前述のＳ３３６と同様に、動画の記録動作中（撮影記録中）であるか否かを判定する。記録動作中あればＳ６０９に進み、そうでない場合（撮影待機中である場合）はＳ６０３に進む。
【０１６５】
Ｓ６０３では、ＣＰＵ１１９ａは、静止画記録の動作中であるか否かを判定する。すなわち、前述のＳ３３９からＳ３４２と同様に、ＣＰＵ１１９ａは、静止画レリーズキー１３３が半押しされたか、全押しされたかを判定する。静止画記録の動作中である場合にはＳ６０９に進み、そうでない場合はＳ６０４に進む。
【０１６６】
Ｓ６０４では、ＣＰＵ１１９ａは、タッチパネルに対するタッチ操作が検出されたか否かを判定する（タッチ検出）。タッチ操作が検出された場合はＳ６０５に進み、そうでない場合はＳ６０８に進む。
【０１６７】
Ｓ６０５では、ＣＰＵ１１９ａは、判定結果としてＲＡＭ１１９ｃに格納されたリターン値が「有効」であるか「無効」であるかを判定する。リターン値が「有効」である場合はＳ６０７に進み、「無効」である場合はＳ６０６に進む。
【０１６８】
Ｓ６０６では、ＣＰＵ１１９ａは、判定結果に「有効」の値を格納する。Ｓ６０７では、ＣＰＵ１１９ａは、判定結果に「無効」の値を格納する。Ｓ６０８では、ＣＰＵ１１９ａは、判定結果に格納されている値をリターンする。Ｓ６０９では、ＣＰＵ１１９ａは、「無効」の値をリターンする。なお、判定結果に格納されている値の更新は行わない。
【０１６９】
なお、デジタルカメラ１０に関するメニュー項目に、フォーカス指標の回転の有効・無効の設定をユーザが切り替え可能な項目があってもよい。その場合、ＣＰＵ１１９ａは、当該メニュー項目による設定値の切り替えが行われたか否かを判定し、設定された値を判定結果に格納する。
【０１７０】
以上のように、本実施形態によれば、フォーカスガイドのうち、フォーカス指標はカメラの姿勢が９０度異なる位置に変化したこと応じて回転させ、フォーカス枠はカメラの姿勢変化に関わらず回転させないように表示が制御される。これにより、画像センサの画素構成上の制約などによって焦点検出領域の縦横の比率が異なる場合、焦点検出領域の方向とフォーカス枠の方向が合っていないといった問題を解決することができる。このように、本実施形態では、カメラの姿勢を変化させた場合であっても、合焦度合いを正しく表示し、かつ、フォーカス合わせを容易に行えるガイド表示を行うことができるようになる。
【０１７１】
［他の実施形態］
なお、本体マイコン１１９のＣＰＵ１１９ａが行うものとして説明した上述の各種制御は１つのハードウェアが行ってもよいし、複数のハードウェアが処理を分担することで、装置全体の制御を行ってもよい。
【０１７２】
また、本発明をその好適な実施形態に基づいて詳述してきたが、本発明はこれら特定の実施形態に限られるものではなく、この発明の要旨を逸脱しない範囲の様々な形態も本発明に含まれる。さらに上述した各実施形態は本発明の一実施形態を示すものにすぎず、各実施形態を適宜組み合わせることも可能である。
【０１７３】
また、上述した実施形態においては、本発明をデジタルカメラ１０に適用した場合を例にして説明したが、これはこの例に限定されず測距位置に関してフォーカスの情報を表示することができる表示制御装置であれば適用可能である。上述のように画像センサを本体に有するデジタルカメラに限らず、画像センサ自体をカメラ本体に有しておらず、他の撮像装置で撮像したライブビュー画像をリモートで受信し、測距位置に関してフォーカスの状態を表示することができる装置にも適用可能である。例えば、撮像装置と無線または有線で接続したスマートフォン、タブレットＰＣなどでのリモート撮影の際の表示制御に適用可能である。このように、本発明はパーソナルコンピュータやＰＤＡ、携帯電話端末や携帯型の画像ビューワ、音楽プレーヤ、ゲーム機、電子ブックリーダなどに適用可能である。
【０１７４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
0006659148.tif 000002
【図２】
0006659148.tif 000003
【図３】
0006659148.tif 000004
【図４】
0006659148.tif 000005
【図５】
0006659148.tif 000006
【図６】
0006659148.tif 000007
【図７】
0006659148.tif 000008
【図８】
0006659148.tif 000009
【図９】
0006659148.tif 000010